(57)【要約】【課題】吸気孔からの内容物の流出を抑えつつ、内容物を円滑に吐出させる。【解決手段】吐出キャップ２０は、容器体１１の口部１１ａに装着されるとともに、容器体１１内に各別に連通する第１流通孔３４および第２流通孔３５が形成されたキャップ本体２１と、キャップ本体２１に、キャップ軸Ｏ方向に移動可能に装着されるとともに、内容物を吐出する吐出孔４３、および外気を吸入する吸気孔４４が形成されたノズル部材２２と、を備え、ノズル部材２２は、両流通孔３４、３５と吐出孔４３との各連通、並びに両流通孔３４、３５と吸気孔４４との各連通をそれぞれ遮断するキャップ軸Ｏ方向に沿った容器体側の遮断位置と、第１流通孔３４を吐出孔４３に第２流通孔３５とは独立して連通させながら、第２流通孔３５を吸気孔４４に第１流通孔３４とは独立して連通させるキャップ軸Ｏ方向に沿った反容器体側の連通位置と、の間をキャップ軸Ｏ方向に移動させられる。【選択図】図２
2014028645.tif 000002
【特許請求の範囲】
【請求項１】
内容物が収容される容器体の口部に装着されるとともに、前記容器体内に各別に連通する第１流通孔および第２流通孔が形成されたキャップ本体と、
前記キャップ本体に、キャップ軸方向に移動可能に装着されるとともに、内容物を吐出する吐出孔、および外気を吸入する吸気孔が形成されたノズル部材と、を備え、
前記ノズル部材は、
前記第１流通孔および前記第２流通孔と前記吐出孔との各連通、並びに前記第１流通孔および前記第２流通孔と前記吸気孔との各連通をそれぞれ遮断するキャップ軸方向に沿った容器体側の遮断位置と、
前記第１流通孔を前記吐出孔に前記第２流通孔とは独立して連通させながら、前記第２流通孔を前記吸気孔に前記第１流通孔とは独立して連通させるキャップ軸方向に沿った反容器体側の連通位置と、の間をキャップ軸方向に移動させられることを特徴とする吐出キャップ。
【請求項２】
請求項１記載の吐出キャップであって、
前記キャップ本体には、キャップ軸方向に延在し、内部が、前記第２流通孔に前記第１流通孔とは独立して連通する流通筒部が備えられ、
前記ノズル部材には、前記流通筒部に、キャップ軸方向に摺動可能に液密に外嵌されるとともに、内周面に、前記吸気孔に連通する連通孔が開口する有頂筒状の摺動筒部が備えられ、
前記ノズル部材は、前記連通位置で、前記摺動筒部のうち、前記連通孔よりも前記容器体側に位置する部分を、前記流通筒部に外嵌させた状態で、前記摺動筒部内を通して前記流通筒部内と前記連通孔とを連通させることを特徴とする吐出キャップ。
【請求項３】
請求項１または２に記載の吐出キャップであって、
前記第１流通孔の開口面積は、前記第２流通孔の開口面積よりも大きいことを特徴とする吐出キャップ。
【請求項４】
請求項３記載の吐出キャップであって、
前記第１流通孔には、この吐出キャップをキャップ軸方向から見た平面視において、前記第２流通孔の径方向の外側に位置するとともに、前記第２流通孔の周方向に間隔をあけて配置された複数の孔部が備えられていることを特徴とする吐出キャップ。
【請求項５】
請求項１から４のいずれか１項に記載の吐出キャップであって、
前記第１流通孔は、前記第２流通孔よりも前記反容器体側に位置していることを特徴とする吐出キャップ。
【発明の詳細な説明】
【技術分野】
【０００１】
本発明は、吐出キャップに関する。
【背景技術】
【０００２】
従来から、例えば下記特許文献１、２に示されるような吐出キャップが知られている。
特許文献１記載の吐出キャップは、内容物が収容される容器体の口部に装着されるキャップ本体と、キャップ本体に、キャップ軸方向に移動可能に装着されるとともに、内容物を吐出する吐出孔が形成されたノズル部材と、を備えている。この吐出キャップでは、ノズル部材を、キャップ軸方向に沿った反容器体側に移動させると、容器体内と吐出孔とが連通する。その後、例えば容器体をスクイズ変形させること等により、内容物を吐出口から吐出する。
特許文献２記載の吐出キャップは、内容物が収容される容器体の口部に装着される有頂筒状の蓋部を備えている。蓋部には、内容物を吐出する吐出孔と、外気を吸入する吸気孔と、が形成されている。
【先行技術文献】
【特許文献】
【０００３】
【特許文献１】特許第４２７６７２６号公報
【特許文献２】特開２００８−２３２８５号公報
【発明の概要】
【発明が解決しようとする課題】
【０００４】
ここで、前記特許文献１記載の吐出キャップでは、内容物を円滑に吐出させることについて改善の余地がある。そこで、この吐出キャップに、前記特許文献２に記載された吐出キャップにおける吸気孔を適用することが考えられるが、この場合には、吸気孔から内容物が流出するのを抑制することについて改善の余地がある。
【０００５】
本発明は、前述した事情に鑑みてなされたものであって、吸気孔からの内容物の流出を抑えつつ、内容物を円滑に吐出させることができる吐出キャップを提供することを目的とする。
【課題を解決するための手段】
【０００６】
前記課題を解決するために、本発明は以下の手段を提案している。
本発明に係る吐出キャップは、内容物が収容される容器体の口部に装着されるとともに、前記容器体内に各別に連通する第１流通孔および第２流通孔が形成されたキャップ本体と、前記キャップ本体に、キャップ軸方向に移動可能に装着されるとともに、内容物を吐出する吐出孔、および外気を吸入する吸気孔が形成されたノズル部材と、を備え、前記ノズル部材は、前記第１流通孔および前記第２流通孔と前記吐出孔との各連通、並びに前記第１流通孔および前記第２流通孔と前記吸気孔との各連通をそれぞれ遮断するキャップ軸方向に沿った容器体側の遮断位置と、前記第１流通孔を前記吐出孔に前記第２流通孔とは独立して連通させながら、前記第２流通孔を前記吸気孔に前記第１流通孔とは独立して連通させるキャップ軸方向に沿った反容器体側の連通位置と、の間をキャップ軸方向に移動させられることを特徴とする。
【０００７】
この発明では、この吐出キャップおよび前記容器体を備える吐出容器の使用の前後においては、ノズル部材を遮断位置に位置させる。これにより、両流通孔と吐出孔との各連通、および両流通孔と吸気孔との各連通がそれぞれ遮断され、吐出孔および吸気孔からの内容物の流出が抑制される。
そして、吐出容器の使用時においては、ノズル部材を、キャップ軸方向に沿って反容器体側に移動させて連通位置に位置させ、第１流通孔を吐出孔に第２流通孔とは独立して連通させながら、第２流通孔を吸気孔に第１流通孔とは独立して連通させる。その後、例えば吐出容器を、吐出孔が鉛直下方を向くように傾斜させたり反転させたりすることで、容器体内の内容物を、第１流通孔を流通させて吐出孔から吐出させる。このとき外気が、吸気孔から吸入されて第２流通孔を通して容器体内に導入され、容器体内と外部との間で空気置換が行われる。
【０００８】
以上のように、この吐出キャップによれば、容器体内の内容物を吐出するときに、容器体内と外部との間で空気置換が行われるので、内容物を円滑に吐出することができる。
また、ノズル部材が連通位置に位置するときに、第１流通孔が吐出孔に第２流通孔とは独立して連通されるので、容器体内の内容物を、第１流通孔を通して吐出孔から吐出させることで、この内容物が吸気孔から流出するのを抑制することができる。
【０００９】
また、前記キャップ本体には、キャップ軸方向に延在し、内部が、前記第２流通孔に前記第１流通孔とは独立して連通する流通筒部が備えられ、前記ノズル部材には、前記流通筒部に、キャップ軸方向に摺動可能に液密に外嵌されるとともに、内周面に、前記吸気孔に連通する連通孔が開口する有頂筒状の摺動筒部が備えられ、前記ノズル部材は、前記連通位置で、前記摺動筒部のうち、前記連通孔よりも前記容器体側に位置する部分を、前記流通筒部に外嵌させた状態で、前記摺動筒部内を通して前記流通筒部内と前記連通孔とを連通させてもよい。
【００１０】
この場合、ノズル部材が連通位置に位置する状態で、ノズル部材の摺動筒部のうち、連通孔よりも前記容器体側に位置する部分が、キャップ本体の流通筒部に外嵌しているので、これらの摺動筒部および流通筒部の周面同士の間を通した第１流通孔と連通孔との連通を遮断することができる。したがって、内容物を吐出するときに、第１流通孔を流通した内容物が連通孔に至るのを抑制することが可能になり、吸気孔からの内容物の流出を確実に抑えることができる。
【００１１】
また、前記第１流通孔の開口面積は、前記第２流通孔の開口面積よりも大きくてもよい。
【００１２】
この場合、第１流通孔の開口面積が、第２流通孔の開口面積よりも大きいので、吐出孔から内容物を吐出させるとき、容器体内の内容物に、第１流通孔を流通させ易くすることができる。これにより、内容物をより円滑に吐出させ易くするとともに、吸気孔から内容物が流出するのを一層抑制することができる。
【００１３】
また、前記第１流通孔には、この吐出キャップをキャップ軸方向から見た平面視において、前記第２流通孔の径方向の外側に位置するとともに、前記第２流通孔の周方向に間隔をあけて配置された複数の孔部が備えられていてもよい。
【００１４】
この場合、第１流通孔に、前記複数の孔部が備えられているので、キャップ本体の外径を小さく抑えつつ、第１流通孔の開口面積を大きく確保し易くすることが可能になり、吐出キャップの大径化を抑制することができる。
【００１５】
また、前記第１流通孔は、前記第２流通孔よりも前記反容器体側に位置していてもよい。
【００１６】
この場合、第１流通孔が、第２流通孔よりも前記反容器体側に位置しているので、内容物を吐出するため、例えば吐出容器を、吐出孔が鉛直下方を向くように傾斜させたり反転させたりしたとき等に、第１流通孔を、第２流通孔よりも鉛直下方に位置させることができる。これにより、容器体内の内容物に、第１流通孔を流通させ易くすることが可能になり、内容物をより円滑に吐出させ易くするとともに、吸気孔から内容物が流出するのを一層抑制することができる。
【発明の効果】
【００１７】
本発明に係る吐出キャップによれば、吸気孔からの内容物の流出を抑えつつ、内容物を円滑に吐出させることができる。
【図面の簡単な説明】
【００１８】
【図１】本発明の一実施形態に係る吐出キャップを示す拡大縦断面図である。
【図２】図１に示す吐出キャップであって、ノズル部材を連通位置に位置させた状態を示す拡大縦断面図である。
【発明を実施するための形態】
【００１９】
以下、図面を参照し、本発明の一実施形態に係る吐出キャップを備える吐出容器を説明する。
図１に示すように、吐出容器１０は、内容物が収容される容器体１１と、容器体１１に装着される吐出キャップ２０と、を備えている。吐出キャップ２０は、容器体１１の口部１１ａに装着されるキャップ本体２１と、キャップ本体２１に、キャップ軸Ｏ方向に移動可能に装着されたノズル部材２２と、キャップ本体２１に着脱可能に装着され、ノズル部材２２を覆うオーバーキャップ２３と、を備えている。
【００２０】
ここで、キャップ本体２１は筒状に形成され、オーバーキャップ２３は有頂筒状に形成され、これらのキャップ本体２１およびオーバーキャップ２３の各中心軸は共通軸上に配置されている。以下、この共通軸をキャップ軸Ｏといい、キャップ軸Ｏ方向に沿って吐出キャップ２０に対する容器体側を下側、反容器体側を上側という。また、キャップ軸Ｏに直交する方向を径方向といい、キャップ軸Ｏ回りに周回する方向を周方向という。
【００２１】
容器体１１は有底筒状に形成され、キャップ軸Ｏと同軸に配置されている。
キャップ本体２１は、容器体１１の口部１１ａに外装される外装筒部２４と、キャップ軸Ｏ方向に延在するとともに、容器体１１の口部１１ａよりも小径とされた流通筒部２５と、外周縁部が外装筒部２４の上端部（キャップ軸方向に沿った反容器側の端部）に連結されるとともに、内周縁部が流通筒部２５の下端部（キャップ軸方向に沿った容器体側の端部）に連結された環状の連結部２６と、を備えている。
【００２２】
外装筒部２４は、容器体１１の口部１１ａに着脱自在に螺着されている。
連結部２６は、外装筒部２４の上端部から径方向の内側に向けて突設された環板状のフランジ部２７と、フランジ部２７の内周縁部に立設され、上端部が流通筒部２５の下端部に連結された立ち上がり筒部２８と、を備えている。フランジ部２７は、容器体１１の口部１１ａの開口端縁上に配置されている。フランジ部２７の内径は、口部１１ａの内径よりも小径となっている。立ち上がり筒部２８は、下側の基部２８ａと、上側のテーパー部２８ｂと、が連結されてなる。テーパー部２８ｂは、基部２８ａの上端部の内周縁部に立設され、下方から上方に向かうに従い漸次、縮径している。
【００２３】
連結部２６には、シール部３０、案内筒部３１および嵌合筒部３２が設けられている。
シール部３０は、容器体１１内の内容物が、口部１１ａとキャップ本体２１との間を通して外部に流出するのを抑制する。シール部３０は、容器体１１の口部１１ａ内に液密に嵌合されたシール筒部と、フランジ部２７と口部１１ａの開口端縁との間で圧縮変形させられた環状の弾性シール材部と、を備えている。
案内筒部３１および嵌合筒部３２は、連結部２６に立設されキャップ軸Ｏと同軸に配置されている。案内筒部３１は、前記フランジ部２７に立設され、嵌合筒部３２は前記基部２８ａの上端部の外周縁部に立設されている。
【００２４】
流通筒部２５の下端部には、キャップ軸Ｏ方向に延在するチューブ体部３３が、下方に向けて延設されている。チューブ体部３３は、キャップ軸Ｏと同軸に配置されている。チューブ体部３３は、流通筒部２５とは別体に形成されている。チューブ体部３３の上端部は、流通筒部２５の下端部内に嵌合され、流通筒部２５の内周面に突設された環状の突条部に下方から当接している。チューブ体部３３の下端部は、キャップ本体２１の前記フランジ部２７よりも下方に位置している。
【００２５】
キャップ本体２１には、容器体１１内に各別に連通する第１流通孔３４および第２流通孔３５が形成されている。第１流通孔３４は、第２流通孔３５とは独立して形成されて第２流通孔３５を通さずに容器体１１内に連通し、第２流通孔３５は、第１流通孔３４とは独立して形成されて第１流通孔３４を通さずに容器体１１内に連通している。
【００２６】
第２流通孔３５は、チューブ体部３３の下端部内とされ、流通筒部２５内に、第１流通孔３４とは独立して連通している。第２流通孔３５は、キャップ軸Ｏ上に位置し、図示の例では、キャップ軸Ｏと同軸に配置されている。
第１流通孔３４は、第２流通孔３５よりも上側に位置している。第１流通孔３４は、キャップ本体２１の連結部２６に形成されており、この連結部２６のうち、前記案内筒部３１よりも径方向の内側に位置する部分に配設されている。
【００２７】
第１流通孔３４には、この吐出キャップ２０をキャップ軸Ｏ方向から見た平面視において、第２流通孔３５の径方向の外側に位置するとともに、周方向に間隔をあけて配置された複数の孔部３４ａが備えられている。孔部３４ａは、キャップ本体２１の連結部２６に貫設されている。孔部３４ａは、連結部２６の前記フランジ部２７および前記立ち上がり筒部２８に一体に形成されている。孔部３４ａは、フランジ部２７における案内筒部３１との連結部分から、立ち上がり筒部２８におけるキャップ軸Ｏ方向の中央部にまで至るように形成されている。
第１流通孔３４の開口面積は、第２流通孔３５の開口面積よりも大きい。複数の孔部３４ａの開口面積の総和は、第２流通孔３５の開口面積よりも大きく、各孔部３４ａの開口面積も、第２流通孔３５の開口面積よりも大きくなっている。
【００２８】
ノズル部材２２は、キャップ軸Ｏと同軸に配置された有頂筒状に形成されている。ノズル部材２２は、流通筒部２５に、キャップ軸Ｏ方向に摺動可能に液密に外嵌された有頂筒状の摺動筒部３６と、摺動筒部３６から径方向の外側に向けて突出された環状の頂壁部３７と、頂壁部３７から下方に向けて突出する連通筒部３８および周壁部３９と、連通筒部３８および周壁部３９に径方向に貫設された第１横筒部４０および第２横筒部４１と、を備えている。
【００２９】
摺動筒部３６、頂壁部３７、連通筒部３８および周壁部３９は、キャップ軸Ｏと同軸に配置されている。頂壁部３７の内周縁部は、摺動筒部３６のキャップ軸Ｏ方向の中央部に連結されている。連通筒部３８は、摺動筒部３６を径方向の外側から囲繞し、周壁部３９は、連通筒部３８を径方向の外側から囲繞している。周壁部３９は、キャップ本体２１の前記案内筒部３１に、キャップ軸Ｏ方向に摺動可能に液密に嵌合している。周壁部３９は、外周壁と内周壁とを有する二重筒状に形成されており、これらの外周壁と内周壁との間に、案内筒部３１が嵌合している。
【００３０】
第１横筒部４０のキャップ軸Ｏ方向の位置と、第２横筒部４１のキャップ軸Ｏ方向の位置と、は互いに同等とされ、第１横筒部４０および第２横筒部４１は、キャップ軸Ｏを径方向に挟むように配置されている。
第１横筒部４０は、連通筒部３８から径方向の外側に向けて突設されており、第１横筒部４０の内部は、連通筒部３８内に連通している。第１横筒部４０における径方向の外側の端部は、頂壁部３７よりも径方向の外側に突出している。第１横筒部４０の内径は、この第１横筒部４０の全長にわたって同等となっている。第２横筒部４１は、摺動筒部３６から径方向の外側に向けて突設されている。第２横筒部４１の内径は、径方向の内側から外側に向かうに従い漸次大きくなっている。第２横筒部４１における径方向の内側の端部内は、摺動筒部３６の内周面に開口する連通孔４２とされている。連通孔４２は、摺動筒部３６のキャップ軸Ｏ方向の中央部から、径方向に向けて開口している。
【００３１】
ノズル部材２２には、内容物を吐出する吐出孔４３、および外気を吸入する吸気孔４４が形成されている。吐出孔４３は、第１横筒部４０における径方向の外側の端部内とされ、第１横筒部４０内を通して連通筒部３８内に連通している。吸気孔４４は、第２横筒部４１における径方向の外側の端部内とされ、第２横筒部４１内および連通孔４２を通して摺動筒部３６内に連通可能とされている。これらの吐出孔４３および吸気孔４４は、ノズル部材２２に各別に形成され、互いに独立して外部と連通している。吐出孔４３の開口面積は、吸気孔４４の開口面積よりも大きく、吐出孔４３および吸気孔４４は、キャップ軸Ｏを径方向に挟むように配置されている。
【００３２】
そして本実施形態では、ノズル部材２２は、図１に示すような下側の遮断位置と、図２に示すような上側の連通位置と、の間をキャップ軸Ｏ方向に移動させられる。なお、ノズル部材２２が連通位置に位置する状態では、キャップ本体２１およびノズル部材２２に各別に設けられた係合部４５が互いに係合し合うことで、ノズル部材２２の上側に向けた更なる移動が規制されている。
【００３３】
図１に示すように、ノズル部材２２は、遮断位置で、連通筒部３８を、キャップ本体２１の嵌合筒部３２に、キャップ軸Ｏ方向に摺動可能に液密に嵌合させている。さらにノズル部材２２は、摺動筒部３６のうち、連通孔４２よりも下側に位置する部分、および連通孔４２よりも上側に位置する部分の両部分を、キャップ本体２１の流通筒部２５に液密に外嵌させている。
【００３４】
そしてノズル部材２２は、遮断位置で、両流通孔３４、３５と吐出孔４３との各連通を遮断している。ノズル部材２２は、両流通孔３４、３５と連通筒部３８内との各連通を遮断することで、両流通孔３４、３５と吐出孔４３との各連通を遮断している。
第１流通孔３４と連通筒部３８内とは、キャップ本体２１の嵌合筒部３２および連通筒部３８の周面同士が液密に当接することで、ノズル部材２２の周壁部３９内を通した連通が遮断されている。第２流通孔３５と連通筒部３８内とは、キャップ本体２１の流通筒部２５およびノズル部材２２の摺動筒部３６の周面同士が液密に当接することで、キャップ本体２１のチューブ体部３３内および流通筒部内２５を通した連通が遮断されている。
【００３５】
さらにノズル部材２２は、遮断位置で、両流通孔３４、３５と吸気孔４４との各連通を遮断している。ノズル部材２２は、両流通孔３４、３５と連通孔４２との各連通を遮断することで、両流通孔３４、３５と吸気孔４４との各連通を遮断している。
第１流通孔３４と連通孔４２とは、キャップ本体２１の嵌合筒部３２およびノズル部材２２の連通筒部３８の周面同士と、キャップ本体２１の流通筒部２５およびノズル部材２２の摺動筒部３６の周面同士と、がそれぞれ液密に当接することで、ノズル部材２２の周壁部３９内および連通筒部３８内を通した連通が遮断されている。第２流通孔３５と連通孔４２とは、キャップ本体２１の流通筒部２５およびノズル部材２２の摺動筒部３６の周面同士が液密に当接することで、キャップ本体２１のチューブ体部３３内および流通筒部２５の通した連通が遮断されている。
【００３６】
図２に示すように、ノズル部材２２は、連通位置で、連通筒部３８とキャップ本体２１の嵌合筒部３２との嵌合を解除し、連通筒部３８を、嵌合筒部３２よりも上方に位置させている。さらにノズル部材２２は、摺動筒部３６のうち、連通孔４２よりも下側に位置する部分を、キャップ本体２１の流通筒部２５に外嵌させた状態で、摺動筒部３６内を通して流通筒部２５内と連通孔４２とを連通させている。
【００３７】
そしてノズル部材２２は、連通位置で、第１流通孔３４を吐出孔４３に第２流通孔３５とは独立して連通させながら、第２流通孔３５を吸気孔４４に第１流通孔３４とは独立して連通させている。
第１流通孔３４と吐出孔４３とは、ノズル部材２２の周壁部３９内、連通筒部３８および嵌合筒部３２の間、連通筒部３８内、第１横筒部４０内により形成される第１流路４６を通して連通しており、第２流通孔３５を通さずに連通している。第２流通孔３５と吸気孔４４とは、キャップ本体２１のチューブ体部３３内、流通筒部２５内、ノズル部材２２の摺動筒部３６内、連通孔４２および第２横筒部４１内により形成される第２流路４７を通して連通しており、第１流通孔３４を通さずに連通している。
なお第１流路４６および第２流路４７は、互いに独立しており、両流通孔３４、３５同士の第１流路４６および第２流路４７を通した連通は、キャップ本体２１の流通筒部２５およびノズル部材２２の摺動筒部３６の周面同士が液密に当接することで遮断されている。
【００３８】
前記吐出容器１０の使用の前後においては、ノズル部材２２を図１に示すような遮断位置に位置させる。これにより、両流通孔３４、３５と吐出孔４３との各連通、および両流通孔３４、３５と吸気孔４４との各連通がそれぞれ遮断され、吐出孔４３および吸気孔４４からの内容物の流出が抑制される。
そして吐出容器１０の使用時においては、図２に示すように、オーバーキャップ２３をキャップ本体２１から離脱させるとともに、ノズル部材２２を、上方に移動させて連通位置に位置させ、第１流通孔３４を吐出孔４３に第２流通孔３５とは独立して連通させながら、第２流通孔３５を吸気孔４４に第１流通孔３４とは独立して連通させる。その後、例えば吐出容器１０を、吐出孔４３が鉛直下方を向くように傾斜させたり反転させたりすることで、容器体１１内の内容物を、第１流通孔３４を流通させて吐出孔４３から吐出させる。このとき外気が、吸気孔４４から吸入されて第２流通孔３５を通して容器体１１内に導入され、容器体１１内と外部との間で空気置換が行われる。
なお、吐出容器１０の使用に際し、キャップ本体２１から離脱させたオーバーキャップ２３をキャップ軸Ｏ方向に反転させて、内容物を吐出孔４３からオーバーキャップ２３内に吐出し、オーバーキャップ２３内に吐出された内容物を計量してもよい。
【００３９】
以上説明したように、本実施形態に係る吐出キャップ２０によれば、容器体１１内の内容物を吐出するときに、容器体１１内と外部との間で空気置換が行われるので、内容物を円滑に吐出することができる。
また図２に示すように、ノズル部材２２が連通位置に位置するときに、第１流通孔３４が吐出孔４３に第２流通孔３５とは独立して連通されるので、容器体１１内の内容物を、第１流通孔３４を通して吐出孔４３から吐出させることで、この内容物が吸気孔４４から流出するのを抑制することができる。
【００４０】
さらに、ノズル部材２２が連通位置に位置する状態で、ノズル部材２２の摺動筒部３６のうち、連通孔４２よりも下側に位置する部分が、キャップ本体２１の流通筒部２５に外嵌しているので、これらの摺動筒部３６および流通筒部２５の周面同士の間を通した第１流通孔３４と連通孔４２との連通を遮断することができる。したがって、内容物を吐出するときに、第１流通孔３４を流通した内容物が連通孔４２に至るのを抑制することが可能になり、吸気孔４４からの内容物の流出を確実に抑えることができる。
【００４１】
また第１流通孔３４の開口面積が、第２流通孔３５の開口面積よりも大きいので、吐出孔４３から内容物を吐出させるとき、容器体１１内の内容物に、第１流通孔３４を流通させ易くすることができる。これにより、内容物をより円滑に吐出させ易くするとともに、吸気孔４４から内容物が流出するのを一層抑制することができる。
さらに第１流通孔３４に、前記複数の孔部３４ａが備えられているので、キャップ本体２１の外径を小さく抑えつつ、第１流通孔３４の開口面積を大きく確保し易くすることが可能になり、吐出キャップ２０の大径化を抑制することができる。
【００４２】
また第１流通孔３４が、第２流通孔３５よりも上側に位置しているので、内容物を吐出するため、例えば吐出容器１０を、吐出孔４３が鉛直下方を向くように傾斜させたり反転させたりしたとき等に、第１流通孔３４を、第２流通孔３５よりも鉛直下方に位置させることができる。これにより、容器体１１内の内容物に、第１流通孔３４を流通させ易くすることが可能になり、内容物をより円滑に吐出させ易くするとともに、吸気孔４４から内容物が流出するのを一層抑制することができる。
【００４３】
なお、本発明の技術的範囲は前記実施形態に限定されるものではなく、本発明の趣旨を逸脱しない範囲において種々の変更を加えることが可能である。
例えば、オーバーキャップ２３および係合部４５はなくてもよい。またシール部３０は、前記シール筒部および前記弾性シール材部のうちのいずれか一方のみを備えていてもよい。さらにシール部３０はなくてもよい。
【００４４】
また前記実施形態では、第１流通孔３４は、第２流通孔３５よりも上側に位置しているものとしたが、これに限られない。例えば第１流通孔が、第２流通孔よりも下側に位置していてもよい。また、第１流通孔のキャップ軸方向の位置が、第２流通孔のキャップ軸方向の位置と同等であってもよい。
【００４５】
また前記実施形態では、第１流通孔３４は複数の孔部３４ａを備えているものとしたが、これに限られない。例えば、第１流通孔が１つの孔部により構成され、第１流通孔と第２流通孔とが、前記平面視において、径方向に並列して配置されていてもよい。
さらに前記実施形態では、第１流通孔３４の開口面積は、第２流通孔３５の開口面積よりも大きいものとしたが、これに限られない。例えば第１流通孔の開口面積が、第２流通孔の開口面積と同等であったり、第２流通孔の開口面積よりも小さかったりしてもよい。
【００４６】
また前記実施形態では、ノズル部材２２の周壁部３９は、二重筒状に形成されているものとしたが、二重筒状でなくてもよい。
さらに前記実施形態では、チューブ体部３３は、流通筒部２５とは別体に形成されているものとしたが、一体に形成されていてもよい。さらにチューブ体部はなくてもよく、流通筒部の下端部内が第２流通孔とされていてもよい。
【００４７】
またノズル部材２２は、前記実施形態に示したものに限られない。つまりノズル部材は、両流通孔と吐出孔との各連通、および両流通孔と吸気孔との各連通をそれぞれ遮断する下側の遮断位置と、第１流通孔を吐出孔に第２流通孔とは独立して連通させながら、第２流通孔を吸気孔に第１流通孔とは独立して連通させる上側の連通位置と、の間をキャップ軸方向に移動させられる他の構成に適宜変更してもよい。
【００４８】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４９】
１０  吐出容器
１１  容器体
１１ａ  口部
２０  吐出キャップ
２１  キャップ本体
２２  ノズル部材
２５  流通筒部
２７  フランジ部
３４  第１流通孔
３４ａ  孔部
３５  第２流通孔
３６  摺動筒部
３８  連通筒部
４２  連通孔
４３  吐出孔
４４  吸気孔
４５  係合部
【図１】
2014028645.tif 000003
【図２】
2014028645.tif 000004